(57)【要約】【課題】  振込依頼書の検証処理の信頼性が高く、かつ処理効率の高い振込依頼データの検証装置及び振込依頼データの検証システムを提供すること。【解決手段】  振込依頼データの検証装置３０は、全体を制御する制御装置３１と、ファクシミリデータの振込依頼書（非コード化情報）を文字認識してコンピュータ読み取り可能な振込依頼データ（コード化情報）に変換するＯＣＲ３２と、ファクシミリデータの振込依頼書をキーボード等により入力してコンピュータ読み取り可能な振込依頼データ（コード化情報）に変換する複数の入力用端末装置３３とを備えて構成されている。ＯＣＲ３２による文字認識結果と、２台の入力用端末装置３３からのキーボード等による振込依頼書（ファクシミリデータ）の入力結果とが、制御装置３１において照合されることにより、振込依頼書の記載内容が検証される。【選択図】  図１
2005332124.tif 000002
【特許請求の範囲】
【請求項１】
金融機関の営業店からファクシミリで送信される振込依頼書を検証する振込依頼データの検証装置であって、
前記営業店から送信された前記振込依頼書のファクシミリデータをＯＣＲで読み取る読取手段と、
前記ファクシミリデータをコンピュータ入力して、コンピュータ読み取り可能なデータに変換する複数の入力手段と、
前記ファクシミリデータの、前記ＯＣＲによる読み取り結果と前記複数の入力手段による入力結果とを照合することにより前記振込依頼書を検証する検証手段と、
前記検証手段により再検証の必要が生じた振込依頼データを再検証する再検証手段と、
を備えたことを特徴とする振込依頼データの検証装置。
【請求項２】
前記振込依頼データの検証手段は、前記ファクシミリデータの振込依頼データに判読不能箇所や項目不備が有る場合に、その旨を前記営業店の端末装置に通知することを特徴とする請求項１記載の振込依頼データの検証装置。
【請求項３】
前記振込依頼データの検証手段は、前記複数の入力手段の中から第１入力手段と第２入力手段を選択し、当該２つの入力手段に対して、それぞれ同一の前記ファクシミリデータの入力を依頼することを特徴とする請求項１または請求項２記載の振込依頼データの検証装置。
【請求項４】
前記振込依頼データの検証手段は、第１回目の比較結果において、前記ＯＣＲの読み取り結果と前記第１入力手段による入力結果とが一致し、かつ第２回目の比較結果において前記第１入力による入力結果と前記第２入力手段による入力結果とが一致する場合は、さらに、前記振込依頼データの振込金額を検証し、前記振込金額が所定の限度額未満の場合は前記振込依頼データの為替自動発信を行い、また、前記振込金額が所定の限度額以上の場合は、前記振込依頼データを、金融本部による前記振込依頼データの承認後に為替発信を行うことを特徴とする請求項３記載の振込依頼データの検証装置。
【請求項５】
前記振込依頼データの検証手段は、第１回目の比較結果において、前記ＯＣＲの読み取り結果と前記第１入力手段による入力結果とが不一致で、かつ第２回目の比較結果において前記第１入力による入力結果と前記第２入力手段による入力結果とが一致する場合は、さらに、前記振込依頼データの口座番号と金額を検証し、前記ＯＣＲの読み取り結果と前記第１入力手段の入力結果及び前記第２入力手段の入力結果とにおける前記振込依頼データの口座番号と金額が一致する場合は、前記振込金額が所定の限度額未満の場合に前記振込依頼データの為替自動発信を行い、また、前記振込金額が所定の限度額以上の場合には、前記振込依頼データを、前記振込依頼データの承認後に為替発信を行う金融本部に送信し、さらに、前記３者において前記口座番号または金額のいずれかが不一致の場合は、前記振込依頼データを、金融本部による前記振込依頼データの承認後に為替発信を行うことを特徴とする請求項３記載の振込依頼データの検証装置。
【請求項６】
前記振込依頼データの検証手段は、第２回目の比較結果において、前記第１入力手段の入力結果と前記第２入力手段の入力結果とが不一致の場合は、請求項１記載の再検証手段を実行した後で、前記振込依頼データを、金融本部による前記振込依頼データの承認後に為替発信を行うことを特徴とする請求項３記載の振込依頼データの検証装置。
【請求項７】
前記振込依頼データの検証手段は、前記ＯＣＲの読み取り結果と前記第１入力手段による入力結果とが不一致を示す振込依頼データの部分については、表示または印刷時に赤字で示されるように指定することを特徴とする請求項３記載の振込依頼データの検証装置。
【請求項８】
金融機関の営業店からファクシミリで送信される振込依頼書を検証する振込依頼データの検証システムであって、
振込依頼書を、営業店から為替集中センターに、ファクシミリデータとして送信する振込依頼データ送信手段と、
前記送信されたファクシミリデータの内容を為替集中センターにおいて検証する請求項１乃至８のいずれか１項に記載の振込依頼データの検証装置を備えた振込依頼データの検証手段と、
前記振込依頼データのうち、承認が必要なものを承認する金融本部における承認手段と、
為替集中センターまたは前記金融本部から送信された振込依頼データに基づいて為替交換処理する為替交換手段と、
を備えたことを特徴とする振込依頼データの検証システム。
【請求項９】
金融機関の営業店からファクシミリで送信される振込依頼書を検証する振込依頼データの検証装置をコンピュータ制御するためのコンピュータプログラムであって、
前記営業店から送信された振込依頼書のファクシミリデータをＯＣＲで読み取らせる読取ステップと、
前記ファクシミリデータを複数の入力用端末装置に入力して、それぞれコンピュータ読み取り可能なデータに変換させる入力ステップと、
前記ファクシミリデータの前記ＯＣＲによる読み取り結果と前記複数の入力用端末装置による入力結果とを照合することにより前記振込依頼書を検証する検証ステップと、
前記検証ステップにより再検証の必要が生じた振込依頼データを最終検証用端末装置に送出して再検証を依頼する再検証ステップと、
を備えたことを特徴とするコンピュータプログラム。
【発明の詳細な説明】
【技術分野】
【０００１】
本発明は、金融機関における振込依頼データの検証システム、振込依頼データの検証装置、及び振込依頼データの検証プログラムに係り、特に、金融機関の各営業店内に設置のファクシミリから送信される振込依頼書のデータに基づいて振込依頼データを作成する振込依頼データの検証システム、振込依頼データの検証装置、及び振込依頼データの検証プログラムに関する。
【背景技術】
【０００２】
従来、信用金庫等の金融機関においては、各営業店にファクシミリを設置し、顧客の振込依頼書を、このファクシミリから、一旦、金融本部等に送信して、承認を受けてから為替発信している。
【０００３】
一方、金融本部等では、この送信されて来た振込依頼書のファクシミリデータを、ＯＣＲ（文字読取装置）で認識処理し、その読み取り結果と、元のファクシミリデータとを、作業者の目視により照合することで振込依頼書を検証していた。
【発明の開示】
【発明が解決しようとする課題】
【０００４】
しかし、このような従来の振込依頼データの検証システムにおいては、作業者の作業負担が重くなり、このため、認識誤りの見逃しまたは認識結果の見損じ等の検証ミスが発生していた。
【０００５】
即ち、作業者は、振込依頼書の照合作業において、元のファクシミリデータを読み取る作業と、その結果をＯＣＲの読み取り結果と照合する作業との、計２種類の作業を同時に行う必要があるため、作業能率が上がらず、また、検証ミスの発生を抑えることが困難であった。
【０００６】
また、検証処理の検証対象も、顧客の振込依頼書の記載ミスと、ＯＣＲの認識誤りとの、計２種類となるため、複雑な処理となっていた。
【０００７】
さらに、作業者を複数にした場合に、それに応じて検証処理の信頼性を高めることが困難であった。
【０００８】
このため、本発明は、振込依頼書の検証処理の信頼性が高く、かつ処理効率の高い振込依頼データの検証システムの提供を目的とするものである。
【０００９】
本発明の他の目的は、振込依頼書の検証処理に従事する作業者の作業負担を軽減できる振込依頼データの検証システムを提供することにある。
【００１０】
本発明の他の目的は、振込依頼書の検証処理に従事する作業者の員数に応じて検証処理の信頼性を高めることができる振込依頼データの検証システムを提供することにある。
【００１１】
本発明の他の目的は、振込依頼書の検証処理の信頼性が高く、かつ処理効率の高い振込依頼データの検証装置を提供することにある。
【００１２】
本発明の他の目的は、振込依頼書の検証処理に従事する作業者の作業負担を軽減できる振込依頼データの検証装置を提供することにある。
【００１３】
本発明の他の目的は、振込依頼書の検証処理に従事する作業者の員数に応じて検証処理の信頼性を高めることができる振込依頼データの検証装置を提供することにある。
【課題を解決するための手段】
【００１４】
本発明は、上記した従来の振込依頼データの検証装置の課題に鑑みてなされたものであり、金融機関の営業店からファクシミリで送信される振込依頼書を検証する振込依頼データの検証装置であって、前記営業店から送信された前記振込依頼書のファクシミリデータをＯＣＲで読み取る読取手段と、前記ファクシミリデータをコンピュータ入力して、コンピュータ読み取り可能なデータに変換する複数の入力手段と、前記ファクシミリデータの、前記ＯＣＲによる読み取り結果と前記複数の入力手段による入力結果とを照合することにより前記振込依頼書を検証する検証手段と、前記検証手段により再検証の必要が生じた振込依頼データを再検証する再検証手段とを備えたことを特徴とする振込依頼データの検証装置を提供するものである。
【００１５】
これにより、ＯＣＲによる読取り結果と、複数の入力手段による入力結果との結果の照合がなされるので、振込依頼書の検証処理の信頼性を高めることが可能となり、かつ複数の入力手段を使用した処理効率の高い振込依頼データの検証装置を提供することができる。
【００１６】
また、前記振込依頼データの検証装置は、前記振込依頼データの検証手段が、前記ファクシミリデータの振込依頼データに判読不能箇所や項目不備が有る場合に、その旨を前記営業店の端末装置に通知することを特徴とする。
【００１７】
これにより、ファクシミリデータの振込依頼データをコード化情報に変換する以前に、判読不能箇所や項目不備の場合における差戻しがなされるので、振込依頼書の確実な記載が可能となり、振込依頼処理の信頼性を高めることができる。
【００１８】
また、前記振込依頼データの検証装置は、前記振込依頼データの検証手段が、前記複数の入力手段の中から第１入力手段と、第２入力手段を選択し、当該２つの入力手段に対して、それぞれ同一の前記ファクシミリデータの入力を依頼することを特徴とする。
【００１９】
これにより、２つの入力手段を使用して検証処理の信頼性を高めることが可能となり、かつ複数の入力手段全体の稼働率を高めて処理効率を高めることができる。
【００２０】
また、前記振込依頼データの検証装置は、前記振込依頼データの検証手段が、第１回目の比較結果において、前記ＯＣＲの読み取り結果と前記第１入力手段による入力結果とが一致し、かつ第２回目の比較結果において前記第１入力による入力結果と前記第２入力手段による入力結果とが一致する場合は、さらに、前記振込依頼データの振込金額を検証し、前記振込金額が所定の限度額未満の場合は前記振込依頼データの為替自動発信を行い、また、前記振込金額が所定の限度額以上の場合は、前記振込依頼データを、金融本部による前記振込依頼データの承認後に為替発信を行うことを特徴とする。
【００２１】
これにより、振込処理の信頼性と処理効率を高めつつ、事故金額を軽減することが可能となる。
【００２２】
また、前記振込依頼データの検証装置は、前記振込依頼データの検証手段が、第１回目の比較結果において、前記ＯＣＲの読み取り結果と前記第１入力手段による入力結果とが不一致で、かつ第２回目の比較結果において前記第１入力による入力結果と前記第２入力手段による入力結果とが一致する場合は、さらに、前記振込依頼データの口座番号と金額を検証し、前記ＯＣＲの読み取り結果と前記第１入力手段の入力結果及び前記第２入力手段の入力結果とにおける前記振込依頼データの口座番号と金額が一致する場合は、前記振込金額が所定の限度額未満の場合に前記振込依頼データの為替自動発信を行い、また、前記振込金額が所定の限度額以上の場合には、前記振込依頼データを、前記振込依頼データの承認後に為替発信を行う金融本部に送信し、さらに、前記３者において前記口座番号または金額のいずれかが不一致の場合は、前記振込依頼データを、金融本部による前記振込依頼データの承認後に為替発信を行うことを特徴とする。
【００２３】
これにより、ＯＣＲの読み取り結果に誤りの可能性が有る場合にも、振込処理の信頼性と処理効率を高めつつ、事故金額を軽減することが可能となる。
【００２４】
また、前記振込依頼データの検証装置は、前記振込依頼データの検証手段が、第２回目の比較結果において、前記第１入力手段の入力結果と前記第２入力手段の入力結果とが不一致の場合は、請求項１記載の再検証手段を実行した後で、前記振込依頼データを、金融本部による前記振込依頼データの承認後に為替発信を行うことを特徴とする。
【００２５】
これにより、２つの入力手段に具体的な不一致が検出された場合のバックアップを可能にしている。
【００２６】
さらに、前記振込依頼データの検証装置は、前記振込依頼データの検証手段が、前記ＯＣＲの読み取り結果と前記第１入力手段による入力結果とが不一致を示す振込依頼データの部分については、表示または印刷時に赤字で示されるように指定することを特徴とする。
【００２７】
これにより、２つの入力手段による前記振込依頼データの、少なくとも口座番号と金額における一致を確認すべき場合を明示して、前記項目、及びそれらの一致を、目視によっても確認できるようにしている。
【００２８】
また、本発明は、上記した従来の振込依頼データの検証システムの課題に鑑みてなされたものであり、金融機関の営業店からファクシミリで送信される振込依頼書を検証する振込依頼データの検証システムであって、振込依頼書を、営業店から為替集中センターに、ファクシミリデータとして送信する振込依頼データ送信手段と、前記送信されたファクシミリデータの内容を為替集中センターにおいて検証する請求項１乃至８のいずれか１項に記載の振込依頼データの検証装置を備えた振込依頼データの検証手段と、前記振込依頼データのうち、承認が必要なものを承認する金融本部における承認手段と、為替集中センターまたは前記金融本部から送信された振込依頼データに基づいて為替交換処理する為替交換手段とを備えたことを特徴とする振込依頼データの検証システムを提供するものである。
【００２９】
これにより、前述の振込依頼データの検証装置の特長を受け継ぐ振込依頼データの検証システムを提供することができる。
【００３０】
さらに、本発明は、金融機関の営業店からファクシミリで送信される振込依頼書を検証する振込依頼データの検証装置をコンピュータ制御するためのコンピュータプログラムであって、前記営業店から送信された振込依頼書のファクシミリデータをＯＣＲで読み取らせる読取ステップと、前記ファクシミリデータを複数の入力用端末装置に入力して、それぞれコンピュータ読み取り可能なデータに変換させる入力ステップと、前記ファクシミリデータの前記ＯＣＲによる読み取り結果と前記複数の入力用端末装置による入力結果とを照合することにより前記振込依頼書を検証する検証ステップと、前記検証ステップにより再検証の必要が生じた振込依頼データを最終検証用端末装置に送出して再検証を依頼する再検証ステップとを備えたことを特徴とするコンピュータプログラムを提供するものである。
【００３１】
これにより、ＯＣＲによる読取り結果と、複数の入力手段による入力結果との結果の照合がなされるので、振込依頼データの検証装置に対して、振込依頼書の検証処理の信頼性を高め、かつ複数の入力手段を使用した処理効率の高い制御を実行できるコンピュータプログラムを提供することができる。
【発明の効果】
【００３２】
本発明によれば、振込依頼書の検証処理の信頼性が高く、かつ処理効率の高い振込依頼データの検証装置及び振込依頼データの検証システムを提供することができる効果がある。
【００３３】
また、振込処理の信頼性と処理効率を高めつつ、事故金額を軽減することが可能な振込依頼データの検証装置及び振込依頼データの検証システムを提供することができる効果がある。
【発明を実施するための最良の形態】
【００３４】
以下、図面を参照して、本発明の実施の形態について詳細に説明する。
【００３５】
なお、それぞれの実施形態の説明では、本発明に係る振込依頼データの検証システム、及び振込依頼データの検証装置について詳述するが、本発明に係る振込依頼データの検証プログラム（記録媒体）については、振込依頼データの検証装置に含まれる各構成要素として実現するためのプログラムであることから、当該プログラムに関する説明は以下の説明に含まれる。
【００３６】
図１は、本発明の実施形態に係る振込依頼データの検証システム、及び振込依頼データの検証装置の全体構成を示す。
【００３７】
図１に示すように、本実施形態に係る振込依頼データの検証システムは、営業店１に設置された端末装置１１及びファクシミリ１２と、金融本部２に設置された承認用端末装置２１と、為替集中センター３に設置された振込依頼データの検証装置３０（本実施形態に係る振込依頼データの検証装置）と、為替交換機関４に設置された為替交換装置４１と、これら構成要素間のデータ通信を行う通信回線１０と、から構成される。
【００３８】
振込依頼データの検証装置３０は、全体を制御する制御装置３１と、ファクシミリデータの振込依頼書を文字認識してコンピュータ読み取り可能なコード情報としての振込依頼データに変換するＯＣＲ３２と、ファクシミリデータの振込依頼書をキーボード等により入力してコンピュータ読み取り可能なコード情報としての振込依頼データに変換する複数の入力用端末装置３３と、を備える。
【００３９】
通信回線１０としては、公衆通信回線、ＩＳＤＮ回線、パケット通信回線、ＡＴＭ回線、専用回線、ＰＨＳ回線、及び光通信ケーブル回線を利用することができる。また、ＣＡＴＶ等の今後普及する回線であっても、セキリュティの高い通信に利用できる仕様の回線であれば利用可能である。
【００４０】
営業店１は、複数であってもよい。また、異なる金融機関の営業店が混在していてもよい。
【００４１】
金融本部２は、複数であってもよい。また、異なる金融機関の金融本部が混在していてもよい。
【００４２】
営業店１に設置されたファクシミリ１２は、顧客の振込依頼に対応する振込依頼書をファクシミリデータとして、為替集中センター３に設置された振込依頼データの検証装置３０に送信する。
【００４３】
為替集中センター３に設置された振込依頼データの検証装置３０は、このファクシミリデータとしての振込依頼データをコンピュータ読み取り可能なコード情報としての振込依頼データに変換し、必要に応じて、金融本部２に設置された承認用端末装置２１に送信する。
【００４４】
為替集中センター３に設置された振込依頼データの検証装置３０は、前述の各処理を行うに際し、まず、受信したファクシミリデータを送信したファクシミリ１２のＩＤ（識別番号）から金融機関ＩＤ（以下、ここでは「信金ＩＤ」とする）と、支店ＩＤとを割り出し、これらのＩＤをファクシミリデータとしての振込依頼データのＩＤ（シリアル番号）に付与して振込依頼ＩＤを作成する。
【００４５】
次に、この振込依頼ＩＤを通番（ジョブ番号）として、ファクシミリ１２から受信した振込依頼データを、ＯＣＲ３２で読み取らせ、コンピュータ読み取り可能なコード情報としての振込依頼データに変換させる。
【００４６】
また、複数の入力用端末装置３３のうち、結果を出力してから最も時間が経過しているものと、その次に時間が経過しているものとの、計２つの入力用端末装置３３を割り出し、前記振込依頼ＩＤを通番（ジョブ番号）として、これら２つの入力用端末装置３３に、ファクシミリ１２から受信した振込依頼データを引き渡し、これら２つの入力用端末装置３３の各々の担当作業者に、コンピュータ読み取り可能なコード情報としての振込依頼データを、それぞれ入力させる。
【００４７】
この時、受信したファクシミリデータとしての振込依頼データに判読不能箇所や不備の項目が有れば、その旨を営業店１の端末装置１１に応答する。
【００４８】
その後、前記のＯＣＲ３２の出力結果としての振込依頼データと、前記２つの入力用端末装置からそれぞれ入力された２つの振込依頼データとの三者を照合する。この時、振込依頼書に記載された振込金額が所定の金額を超えるものであるか否かを検証する。
【００４９】
前述の所定の金額についての照合及び検証結果に応じたその後の処理ケースについては後述の図４で説明するが、最終検証用端末装置３４は、その１つの処理ケースにおいて使用される。
【００５０】
金融本部２に設置された承認用端末装置２１は、この振込依頼データをさらに承認し、この承認結果を、為替交換機関４に設置された為替交換装置４１に送信する。
【００５１】
金融本部２に設置された承認用端末装置２１は、この振込依頼データに基づき、為替の最終段階の交換（決済）処理を行う。
【００５２】
図２は、本発明の実施形態に係る振込依頼データの検証装置の制御装置３１の全体構成を示す。
【００５３】
同図に示すように、制御装置３１は、全体を制御する制御部３１１と、支店等の認証用のデータを格納する認証用ＤＢ（データベース）３１２と、受信したファクシミリデータとしての振込依頼データを格納するＦＡＸデータＤＢ３１３と、ＯＣＲ３２で読み取らせた結果であるコンピュータ読み取り可能なコード情報としての振込依頼データを格納するＯＣＲ読取りデータＤＢ３１４と、割り出された２つの入力用端末装置３３による振込依頼書の入力結果をそれぞれ格納する第一入力データＤＢ３１５及び第二入力データＤＢ３１６と、最終的な検証結果、即ち、為替自動発信データ（為替交換機関４の為替交換装置４１に直接送信される振込依頼データ）または金融本部２に送信される振込依頼データを格納する検証済データＤＢ３１７と、を備えて構成される。
【００５４】
制御部３１１は、全体を制御するＣＰＵ３１１１と、ＣＰＵ３１１１をストアード方式で制御するためのプログラム等を格納するＲＡＭ３１１２と、通信回線１０の接続を制御する回線制御部３１１３と、ファクシミリを含む各種通信を制御する通信制御部３１１４と、前述の各データベースを制御するＤＢ管理部３１１５と、必要に応じて状態情報や、データを表示するための表示部３１１６と、必要に応じて作業者の指示やデータを入力するための入力部３１１７と、を備える。
【００５５】
この制御部３１１は、前述の振込依頼データの検証装置３０の処理を全面的に実行する構成要素である。
【００５６】
通信制御部３１１４は、必要に応じて、秘密保持のための暗号化データ転送用の暗号化通信プロトコルを備えることができる。
【００５７】
図３は、本発明の実施形態に係る振込依頼データの検証システムにおけるデータの流れを示すデータフロー図である。
【００５８】
同図に示すように、営業店１からは、顧客の振込依頼書に対応した振込依頼Ｆが為替集中センター３に送信される。この振込依頼Ｆは、顧客の振込依頼書に対応したファクシミリデータと、振込依頼書ＩＤ（シリアル番号）とを備える。
【００５９】
この振込依頼Ｆを受信した為替集中センター３の制御装置３１は、振込依頼ＦをＯＣＲ３２に送り、ＯＣＲ３２は振込依頼Ｆのファクシミリデータの読み取り結果のＣ０を応答する。
【００６０】
次に、制御装置３１は、入力用端末装置３３から待機中のものを２つ割り出す（ここでは、これを入力用端末装置３３ｉ，３３ｊ）とする。
【００６１】
次に、制御装置３１は、振込依頼Ｆ１を入力用端末装置３３ｉ，３３ｊに送信する。入力用端末装置３３ｉからは第一入力データＣ１を制御装置３１に返し、入力用端末装置３３ｊからは第二入力データＣ２を制御装置３１に返す。
【００６２】
前記ファクシミリデータの読み取り結果Ｃ０及び前記データＣ１，Ｃ２とから、振込依頼書の判読不能箇所や、項目不備が有るか否かを検証し、判読不能箇所や、項目不備が有れば、要訂正箇所の応答Ａを営業店１に返す。
【００６３】
判読不能箇所や、項目不備が無ければ、前記ファクシミリデータの読み取り結果Ｃ０及び前記データＣ１，Ｃ２を照合し（図４参照）、必要に応じて、最終検証用端末装置３４にも、前記ファクシミリデータの読み取り結果Ｃ０及び前記データＣ１，Ｃ２を送って再検証を依頼し、最終検証用端末装置３４からは、その応答である振込依頼データの検証済みデータＣＣを受け取る。
【００６４】
振込依頼書に記載の振込金額が、所定限度額未満の金額である場合は、振込依頼データの自動発信データＣＡを為替交換機関４に送信する。
【００６５】
また、第一入力データＣ１と第二入力データＣ２とが不一致の場合は、振込依頼データの承認待ちデータＣＷを金融本部２に送信する。金融本部２では、承認待ちデータＣＷを承認した場合には、振込依頼データの承認済みデータＣＤを為替交換機関４に送信する。
【００６６】
図４は、本発明の実施形態に係る振込依頼データの検証装置におけるデータ検証結果毎の処理ケースを示す説明図である。
【００６７】
同図に示すように、制御装置３１は、まず、第１回目の比較結果において、ＯＣＲの読み取り結果ＣＯ（図４では、これを記号Ａで示す）と第一入力データＣ１（図４では、これを記号Ｂで示す）との一致が示され、かつ第２回目の比較結果においてＢと第二入力データＣ２（図４では、これを記号Ｃで示す）との一致が示される場合は、振込金額を検証し、この振込金額が所定の限度額未満の場合は為替自動発信のケースとして扱う。また、この場合、振込金額が所定の限度額以上の場合は金融本部２（図１）を介して為替発信するケースとして扱う。
【００６８】
また、前述の第２回目の比較結果においてＢとＣとの不一致が示される場合はは、最終検証用端末装置３４（図１）を介して、一旦再検証を行った後、金融本部２を介して為替発信するケースとして扱う。
【００６９】
一方、第１回目の比較結果において、ＡとＢとの不一致が示され、かつ第２回目の比較結果においてＢとＣとの一致が示される場合は、Ａ，Ｂ，Ｃに示される口座結果と金額との各一致を検証した後、振込金額が所定の限度額未満の場合は為替自動発信のケースとして扱う。また、振込金額が所定の限度額以上の場合は金融本部２を介して為替発信するケースとして扱う。さらに、振込金額が所定の限度額未満の場合であっても、Ａ，Ｂ，Ｃに示される口座結果または金額のいずれかに不一致があった場合は、金融本部２を介して為替発信するケースとして扱う。
【００７０】
また、第１回目の比較結果において、ＡとＢとの不一致が示され、かつ第２回目の比較結果においてもＢとＣとの不一致が示される場合は、ＡとＣとが一致するか否かには関わらず、最終検証用端末装置３４を介して、一旦再検証を行った後、金融本部２を介して為替発信するケースとして扱う。
【００７１】
なお、ＡとＢとの不一致箇所のデータは、表示または印刷時に赤色で示されるように指定しておくことも可能である。
【００７２】
また、再検証依頼を受けた最終検証用端末装置３４では、作業者は、振込依頼Ｆ１（図３）と、第一入力データＣ１（図３）とを目視により確認し、相違する箇所が存在する場合は、これを修正するものとする。
【００７３】
図５は、本発明の実施形態に係る振込依頼データの検証装置においてファクシミリ１２からの振込依頼を受信した時の制御装置３１における動作を示すフローチャートである。
【００７４】
以下、図１〜４を参照しながら、図５に示すフローチャートを使用して、本実施形態に係る振込依頼データの検証装置においてファクシミリ１２からの振込依頼を受信した時の制御装置３１における動作を説明する。
【００７５】
まず、制御装置３１のＣＰＵ３１１１は、ファクシミリ１２に割り振られているファクシミリＩＤを検証し、このファクシミリＩＤをキーにして認証用ＤＢ３１２を検索し、金融機関名と支店名とを割り出すことで、これを認証する（ステップＳ１）。
【００７６】
次に、ＣＰＵ３１１１は、上記割り出した金融機関を識別するＩＤ（図５では信金ＩＤとしている）と、支店ＩＤとを検証し、確定する（ステップＳ２）。
【００７７】
次に、ＣＰＵ３１１１は、受信したファクシミリデータの振込依頼データに割り当てられている振込依頼書ＩＤ（支店で割り当てる）を取得する（ステップＳ３）。
【００７８】
次に、ＣＰＵ３１１１は、上記取得した振込依頼書ＩＤに、前述の金融機関ＩＤと支店ＩＤとを付加することにより、振込依頼ＩＤを作成する（ステップＳ４）。なお、この振込依頼ＩＤは、内部的なジョブ番号を兼ねるものとする。
【００７９】
次に、ＣＰＵ３１１１は、ＯＣＲ３２に、振込依頼Ｆ（図３）を送出し、その応答としてＯＣＲの読取り結果Ｃ０（図３）を得る（ステップＳ５）。
【００８０】
次に、ＣＰＵ３１１１は、入力用端末装置３３から、最も長い時間に渡って待機中の入力用端末装置ｉ（図３）と、その次に長い時間に渡って待機中の入力用端末装置ｊ（図３）とを割り出す（ステップＳ６）。
【００８１】
次に、ＣＰＵ３１１１は、入力用端末装置ｉに、振込依頼Ｆ１（図３）を送出し、この入力を依頼する（ステップＳ７）。
【００８２】
次に、ＣＰＵ３１１１は、入力用端末装置ｊにも、同じ振込依頼Ｆ１を送出し、この入力を依頼する（ステップＳ８）。
【００８３】
次に、ＣＰＵ３１１１は、入力用端末装置ｉからの応答である第一入力データＣ１と、入力用端末装置ｊからの応答である第二入力データＣ２とを受け取り、その内容における判読不能箇所と項目不備（いずれも入力担当者が検証して示すことも可能）の存在を検証し、判読不能箇所や項目不備が有ればステップＳ１４に移り、判読不能箇所や項目不備が無ければステップＳ１０に移る（ステップＳ９）。
【００８４】
ステップＳ１０では、ＣＰＵ３１１１は、前述のＯＣＲの読取結果ＣＯと、第一入力データＣ１と、第二入力データＣ２とを、照合し、また、振込依頼書に記載された振込金額が所定の金額を超えるものであるか否かを検証し、まず、第一入力データＣ１と第二入力データＣ２とが不一致の場合はステップＳ１１に移り、さもなくて振込金額が所定の金額以上の場合はステップＳ１２に移り、さもなくて振込金額が所定の金額未満の場合はステップＳ１３に移る（ステップＳ１０）。なお、この判定の詳細アルゴリズムは図４に準拠するものとする。
【００８５】
ステップＳ１１では、ＣＰＵ３１１１は、最終検証用端末装置３４に、振込依頼Ｆ１、第一入力データＣ１、及び第二入力データＣ２を送出して再検証を依頼し、その応答である検証済みデータＣＣを得た後、ステップＳ１２に移る。
【００８６】
ステップＳ１２では、ＣＰＵ３１１１は、検証済みデータＣＣを、承認待ちデータＣＷ（図３）として、金融本部２に送信した後、処理を終了する。
【００８７】
ステップＳ１３では、ＣＰＵ３１１１は、第一入力データＣ１（または第二入力データＣ２）を、自動発信データＣＷとして、為替自動発信した後、処理を終了する。
【００８８】
ステップＳ１４では、ＣＰＵ３１１１は、判読不能、項目不備等の通知を営業店１の端末装置１１に返した後、処理を終了する。
【００８９】
なお、本発明に係るＣＰＵ３１１１の処理の少なくとも一部をコンピュータ制御により実行するものとし、かつ、上記処理を、図５のフローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ，パーソナルコンピュータ，汎用コンピュータを範疇に含むコンピュータが、上記の記録媒体から上記プログラムを読み出して、実行するものとしてもよい。
【産業上の利用可能性】
【００９０】
本発明は、金融機関における振込依頼データの検証装置に関するものであり、産業上の利用可能性を有する。
【図面の簡単な説明】
【００９１】
【図１】本発明の実施形態に係る振込依頼データの検証システム、及び振込依頼データの検証装置の全体構成を示す。
【図２】本発明の実施形態に係る振込依頼データの検証装置の制御装置３１の全体構成を示す。
【図３】本発明の実施形態に係る振込依頼データの検証システムにおけるデータの流れを示すデータフロー図である。
【図４】本発明の実施形態に係る振込依頼データの検証装置におけるデータ検証結果毎の処理ケースを示す説明図である。
【図５】本発明の実施形態に係る振込依頼データの検証装置においてファクシミリ１２からの振込依頼を受信した時の制御装置３１における動作を示すフローチャートである。
【符号の説明】
【００９２】
１：営業店
２：金融本部
３：為替集中センター
４：為替交換機関
１０：通信回線
１１：端末装置
１２：ファクシミリ
２０：専用回線
２１：承認用端末装置
３０：振込依頼データの検証装置
３１：制御装置
３２：ＯＣＲ
３３：入力用端末装置
３４：最終検証用端末装置
３１０：コモンバス
３１１：制御部
３１２：認証用ＤＢ（データベース）
３１３：ＦＡＸデータＤＢ
３１４：ＯＣＲ読取りデータＤＢ
３１５：第一入力データＤＢ
３１６：第二入力データＤＢ
３１７：検証済みデータＤＢ
３２０：入出力バス
３１１１：ＣＰＵ
３１１２：ＲＡＭ
３１１３：回線制御部
３１１４：通信制御部
３１１５：ＤＢ管理部
３１１６：表示部
３１１７：入力部
【図１】
2005332124.tif 000003
【図２】
2005332124.tif 000004
【図３】
2005332124.tif 000005
【図４】
2005332124.tif 000006
【図５】
2005332124.tif 000007